(57)【特許請求の範囲】
【請求項１】
粉末状の反応助剤をパルス除塵式バグフイルタの濾布面に付着させ、ブロアーの吸引作用を受けてこのバグフイルタを通過する燃焼有害ガスや悪臭ガス等の排ガスを上記の反応助剤に接触させて反応処理する一方、上記バグフイルタの濾布面に付着している使用済みの反応助剤を、逆洗用のパルスジェットエアーで下側のホッパーに払い落すようにしたパルス除塵式バグフイルタを用いた排ガス処理方法であって、
上記使用済み反応助剤をパルスジェットエアーで払い落した後、１種類又は複数種類の新たな反応助剤を上記バグフイルタの濾布面に付着し、次いで、ホッパー内に払い落した上記使用済みの反応助剤をバグフイルタの濾布面に付着している上記新たな反応助剤の外側面に多重に付着させ、これ等多重に付着した新旧の反応助剤によって上記の排ガスを反応処理することを特徴とするパルス除塵式バグフイルタを用いた排ガス処理方法。
【請求項２】
使用済み反応助剤をパルスジェットエアーで下側のホッパーに払い落した後、複数種の新たな反応助剤の中から必要とする反応助剤を１種類又は複数種類選んでこれをバグフイルタの濾布面に付着し、次いで、この新たな反応助剤の外側面に上記ホッパー内に払い落した使用済みの反応助剤を多重に付着することを特徴とする請求項１記載のパルス除塵式バグフイルタを用いた排ガス処理方法。
【請求項３】
ホッパーに払い落した使用済み反応助剤をエアーで舞い上げ、これをブロアーの吸引作用を利用して新たな反応助剤の外側面に多重に付着することを特徴とする請求項１又は２記載のパルス除塵式バグフイルタを用いた排ガス処理方法。
【請求項４】
ホッパーに払い落した使用済み反応助剤をホッパーの外部に回収し、この回収した使用済み反応助剤をブロアーの送風作用又は吸引作用によってバグフイルタ側に再供給して、新たな反応助剤の外側面に多重に付着することを特徴とする請求項１又は２記載のパルス除塵式バグフイルタを用いた排ガス処理方法。
【請求項５】
ブロアーの送風作用又は吸引作用を受けて排ガスの導入ダクトを通してフイルタ室内に供給又は吸引した粉末状の反応助剤を、パルス除塵式バグフイルタの濾布面に付着し、上記導入ダクトを通って吸引されて来る燃焼有害ガスや悪臭ガス等の排ガスを上記反応助剤に接触させて反応処理する一方、上記バグフイルタの濾布面に付着している使用済みの反応助剤を、逆洗用のパルスジェットエアーで逆洗して下側のホッパーに払い落すように構成したパルス除塵式バグフイルタを用いた排ガス処理装置であって、
上記排ガス導入ダクトの途中に新たな反応助剤を供給するための助剤供給手段を１台又は複数台接続し、上記のホッパーにはパルスジェットエアーによって払い落された使用済み助剤をエアーを噴射して舞い上げる助剤舞い上げ手段を設けて、上記助剤供給手段による新しい反応助剤の供給を終えた後、上記助剤舞い上げ手段による使用済み反応助剤の舞い上げを行って、上記バグフイルタの濾布面に新旧の反応助剤を順番に、且つ、多重に付着させるように構成したことを特徴とするパルス除塵式バグフイルタを用いた排ガス処理装置。
【請求項６】
ブロアーの送風作用又は吸引作用を受けて排ガスの導入ダクトを通してフイルタ室内に供給又は吸引した粉末状の反応助剤を、パルス除塵式バグフイルタの濾布面に付着し、上記導入ダクトを通って吸引されて来る燃焼有害ガスや悪臭ガス等の排ガスを上記反応助剤に接触させて反応処理する一方、上記バグフイルタの濾布面に付着している使用済みの反応助剤を、逆洗用のパルスジェットエアーで逆洗して下側のホッパーに払い落すように構成したパルス除塵式バグフイルタを用いた排ガス処理装置であって、
上記排ガス導入ダクトの途中に、新たな反応助剤を供給するための１台又は複数台の新規助剤供給手段と、上記ホッパーから回収した使用済み反応助剤を供給するための使用済み助剤供給手段を接続し、上記新規助剤供給手段による新しい反応助剤の供給を終えた後、上記使用済み助剤供給手段による使用済み反応助剤の供給を行って、上記バグフイルタの濾布面に新旧の反応助剤を順番に、且つ、多重に付着させるように構成したことを特徴とするパルス除塵式バグフイルタを用いた排ガス処理装置。
【発明の詳細な説明】
【０００１】
【発明の属する技術分野】
本発明は、燃焼有害ガスや悪臭ガスと言った各種の排ガスを、パルス除塵式バグフイルタの濾布面に付着させた反応助剤に接触させることにより、脱臭や脱硫等の各種処理を行えるように工夫したパルス除塵式バグフイルタを用いた排ガス処理方法とその装置に関するものである。
【０００２】
【従来の技術】
パルス除塵式バグフイルタの濾布面に付着させた反応助剤を用いて、排ガスを反応処理することができる排ガス処理装置に関しては、従来より例えば実開平７−１３４２２号公報（実願平５−４５９８８号）に記載の如きバグフイルタ式脱臭装置が存在する。
【０００３】
この脱臭装置は、脱臭剤を飽和状態に成る迄繰返し使用できるようにしたものであって、フイルタ室のバグフイルタの濾布面に付着させて脱臭に用いた使用済みの脱臭剤を、パルスジェットエアーで下側のホッパーに払い落した後、これを脱臭剤供給タンクに回収して再度利用するように構成されている。
【０００４】
【発明が解決しようとする課題】
しかし、上記従来のバグフイルタ式脱臭装置によれば、新しい脱臭剤が供給された当初の時点では、脱臭剤のガス吸着機能（脱臭機能）は高いが、これを繰返し使用することで吸着性能が次第に低下し、全体のランニングの中では排ガスの吸着性能に変動（劣化）が発生して、充分な脱臭効果を発揮できなくなる問題があった。
【０００５】
更に、上記従来のバグフイルタ式脱臭装置は、パルスジェットエアーによって払い落した使用済みの脱臭剤を、再び同じ脱臭剤を収容した供給タンクに回収して再利用するものであって、常に１種類の脱臭剤を使用する構成になっているため、例えば、性質の異なる酸性ガスやアルカリ性ガス等の混合ガスを除去したり脱臭したりする場合には、上記のバグフイルタ式脱臭装置（除去装置）を複数台連ねて、処理するガスに合せて除去装置を選んで使い分ける必要があり、使用操作が非常に煩雑であると共に、装置全体が複雑化、大型化して、高コスト化を招く問題もあった。
【０００６】
従って本発明の技術的課題は、排ガスに対する吸着処理機能を低下させることなく、バグフイルタから払い落した使用済みの反応助剤（脱臭剤等）を再利用することができると共に、１台の処理装置によって複数種の排ガスの処理を可能にしたパルス除塵式バグフイルタを用いた排ガス処理方法とその装置を提供することである。
【０００７】
【課題を解決するための手段】
上記の技術的課題を解決するために本発明で講じた手段は以下の如くである。
【０００８】
粉末状の反応助剤をパルス除塵式バグフイルタの濾布面に付着させ、ブロアーの吸引作用を受けてこのバグフイルタを通過する燃焼有害ガスや悪臭ガス等の排ガスを上記の反応助剤に接触させて反応処理する一方、上記バグフイルタの濾布面に付着している使用済みの反応助剤を、逆洗用のパルスジェットエアーで下側のホッパーに払い落すようにしたパルス除塵式バグフイルタを用いた排ガス処理方法であって、
【０００９】
（１）  上記使用済み反応助剤をパルスジェットエアーで払い落した後、１種類又は複数種類の新たな反応助剤を上記バグフイルタの濾布面に付着し、次いで、ホッパー内に払い落した上記使用済みの反応助剤をバグフイルタの濾布面に付着している上記新たな反応助剤の外側面に多重に付着させ、これ等多重に付着した新旧の反応助剤によって上記の排ガスを反応処理すること。（請求項１）
【００１０】
（２）  使用済み反応助剤をパルスジェットエアーで下側のホッパーに払い落した後、複数種の新たな反応助剤の中から必要とする反応助剤を１種類又は複数種類選んでこれをバグフイルタの濾布面に付着し、次いで、この新たな反応助剤の外側面に上記ホッパー内に払い落した使用済みの反応助剤を多重に付着すること。（請求項２）
【００１１】
（３）  ホッパーに払い落した使用済み反応助剤をエアーで舞い上げ、これをブロアーの吸引作用を利用して新たな反応助剤の外側面に多重に付着すること。  （請求項３）
【００１２】
（４）  ホッパーに払い落した使用済み反応助剤をホッパーの外部に回収し、この回収した使用済み反応助剤をブロアーの送風作用又は吸引作用によってバグフイルタ側に再供給して、新たな反応助剤の外側面に多重に付着すること。（請求項４）
【００１３】
ブロアーの送風作用又は吸引作用を受けて排ガスの導入ダクトを通してフイルタ室内に供給又は吸引した粉末状の反応助剤を、パルス除塵式バグフイルタの濾布面に付着し、上記導入ダクトを通って吸引されて来る燃焼有害ガスや悪臭ガス等の排ガスを上記反応助剤に接触させて反応処理する一方、上記バグフイルタの濾布面に付着している使用済みの反応助剤を、逆洗用のパルスジェットエアーで逆洗して下側のホッパーに払い落すように構成したパルス除塵式バグフイルタを用いた排ガス処理装置であって、
【００１４】
（５）  上記排ガス導入ダクトの途中に新たな反応助剤を供給するための助剤供給手段を１台又は複数台接続し、上記のホッパーにはパルスジェットエアーによって払い落された使用済み助剤をエアーを噴射して舞い上げる助剤舞い上げ手段を設けて、上記助剤供給手段による新しい反応助剤の供給を終えた後、上記助剤舞い上げ手段による使用済み反応助剤の舞い上げを行って、上記バグフイルタの濾布面に新旧の反応助剤を順番に、且つ、多重に付着させるように構成すること。（請求項５）
【００１５】
（６）  上記排ガス導入ダクトの途中に、新たな反応助剤を供給するための１台又は複数台の新規助剤供給手段と、上記ホッパーから回収した使用済み反応助剤を供給するための使用済み助剤供給手段を接続し、上記新規助剤供給手段による新しい反応助剤の供給を終えた後、上記使用済み助剤供給手段による使用済み反応助剤の供給を行って、上記バグフイルタの濾布面に新旧の反応助剤を順番に、且つ、多重に付着させるように構成すること。（請求項６）
【００１６】
尚、ここに於いて反応助剤とは、例えば、粉末状に形成した脱臭剤、脱硝剤、或は、脱硫剤等を意味する。
【００１７】
▲１▼  上記（１）で述べた請求項１に係る手段（排ガス処理方法）によれば、使用済みの反応助剤をパルスジェットエアーで払い落した後、１種類又は複数種類の未使用の新たな反応助剤をバグフイルタの濾布面に付着し、その後、払い落した使用済みの反応助剤を上記新しい反応助剤の外側面に多重に付着するため、外層に付着した古い反応助剤が先ず荒取りの反応処理（交流接触）を行い、次いで、内層の新しい反応助剤によって仕上げの処理を行うことができるものであって、使用済み反応助剤の再利用によって除去能率を低下させることなく、複数層に重ねて付着させた新旧の反応助剤によって安定した吸着作用を発揮して、排ガスに対する脱臭や脱硫等の処理効果を向上させることを可能にする。
【００１８】
▲２▼  上記（２）で述べた請求項２に係る手段（排ガス処理方法）によれば、複数種の新たな反応助剤の中から必要とする反応助剤を選んでこれをバグフイルタの濾布面に付着でき、更に、この新たな反応助剤の外側面に使用済みの反応助剤を多重に付着させるため、これ等複数層に重ねて付着させた新旧の反応助剤によって、排ガスの処理効果を向上させることができると共に、複数種の反応助剤を使用可能にしたので、処理する排ガスの種類に合せて使用する反応助剤を選択することにより、例えば酸性ガスやアルカリ性と言った性状が異なる排ガスに応じた反応処理を行うことを可能にする。
【００１９】
▲３▼  上記（３）で述べた請求項３に係る手段（排ガス処理方法）によれば、パルスジェットエアーによって払い落された使用済みの反応助剤を、エアーで舞い上げ、且つ、ブロアーの吸引作用で新たな反応助剤の外側面に多重に付着できるため、バグフイルタの濾布面に多重に付着形成したこれ等新旧の反応助剤の層が、排ガスを安定した状態で効率良く反応処理することを可能にする。
【００２０】
▲４▼  上記（４）で述べた請求項４に係る手段（排ガス処理方法）によれば、パルスジェットエアーによって払い落された使用済みの反応助剤をホッパーの外部に回収し、これをブロアーの送風又は吸引作用によって新たな反応助剤の外側面に多重に付着できるため、バグフイルタの濾布面に多重に付着形成したこれ等新旧の反応助剤の層が、排ガスを安定した状態で効率良く反応処理することを可能にする。
【００２１】
▲５▼  上記（５）で述べた請求項５に係る手段（排ガス処理装置）によれば、排ガス導入ダクトの途中に接続した１台又は複数台の助剤供給手段から、除塵を済ませたバグフイルタの面に必要とする１種類又は複数種類の新しい反応助剤が順番に供給されて多重に付着され、また、パルスジェットエアーによってホッパーに払い落された使用済みの反応助剤は、助剤舞い上げ手段によって舞い上げられて上記新しい反応助剤の外側面に重ねて付着されるため、これ等多重層に付着形成された新旧の反応助剤の層によって安定した吸着作用を発揮して、排ガスを効率良く反応処理することを可能にする。
【００２２】
▲６▼  上記（６）で述べた請求項６に係る手段（排ガス処理装置）によれば、必要とする１種類又は複数種類の新たな反応助剤を、処理する排ガスの種類に応じてバグフイルタの濾布面に供給して付着でき、更に、ホッパーから使用済み助剤供給手段に回収した使用済み反応助剤を、上記新たな反応助剤の外側面に重ねて付着できるため、バグフイルタの濾布面に多重に付着形成したこれら新旧の反応助剤の層が、各種の排ガスを安定した状態で効率良く反応処理することを可能にする。
【００２３】
以上の如くであるから、上記（１）〜（６）の手段によって上述した技術的課題を解決して、前記従来の技術の問題点を解消することができる。
【００２４】
【発明の実施の形態】
以下に、本発明に係るパルス除塵式バグフイルタを用いた排ガス処理方法とその装置の実施の形態を図面と共に説明すると、図１は本発明の排ガス処理装置の外観を説明した正面図、図２はその拡大側面図、図３は本発明の全体を明示した構成図であって、これ等の図面に於いて、夫々符号１で全体的に示したのはバグフイルタ式の集塵機で、１Ａと１Ｂは仕切板１Ｘによって上下に区画形成された集塵機１の清浄室とフイルタ室、１Ｃはフイルタ室１Ｂの下側に連設したホッパー、２…はフイルタ室１Ｂ内に吊下げたバグフイルタを示す。
【００２５】
また、３は上記清浄室１Ａの内部に設けたパルスジェット用のブローチューブ、３Ｔはヘッダパイプ、３Ａ…はブローチューブ３に設けたエアー噴射用のノズルであって、上記のヘッダパイプ３Ｔからブローチューブ３に送られて来るパルスジェットエアー（圧縮エアー）を、各ノズル３Ａ…から上記各バグフイルタ２…の内部に吹き込むことにより、各バグフイルタ２…の濾布面に付着している使用済みの反応助剤を下側のホッパー１Ｃに払い落すことができる仕組に成っている。
【００２６】
４は上記集塵機１の清浄室１Ａに接続した吸引ダクト、４Ａはこの吸引ダクト４の先端側に接続した吸引ブロアー（吸引ファン）、４Ｍはブロアー駆動用モータ、４Ｔは風量調節弁、４Ｂは排気筒であって、上記吸引ブロアー４Ａの吸引作用は、上記の吸引ダクト４を経て集塵機１の清浄室１Ａからバグフイルタ２…、及び、フイルタ室１Ｂを通して排ガス導入ダクト７に及んで、排ガスを集塵機１のフイルタ室１Ｂ内に吸引する仕組に成っている。
【００２７】
更に図中、５は上記ホッパー１Ｃの底部に設けた使用済み反応助剤の排出装置、５Ｓはこの排出装置５を構成する排出用スクリューで、このスクリュー５Ｓによって排出される使用済み反応助剤は、排出弁５Ａ及び排出ダクト５Ｂを経てフレキシブルコンテナ６に送り込まれて回収され、次いで、ガイドレール１４に取付けたホイスト１５等の輸送手段を用いて後述する使用済み反応助剤供給手段  （供給タンク）に搬送されて送り込まれる仕組に成っているが、これは実施の一例であって、例えばホッパー１Ｃに回収した使用済み反応助剤を、輸送用エアーパイプ等を用いて上記の供給タンクに直接送り込んでもよく、その選択は任意とする。
【００２８】
更に図中、８は上記ホッパー１Ｃ内に設けたエアー噴射パイプ８Ａに圧縮エアーを送って、ホッパー１Ｃ内に落下して溜った使用済み反応助剤を舞い上げることができるエアーレーション用パイプ、９は先端を上記排ガス導入ダクト７に接続した助剤供給ダクト、１０，１１はこの供給ダクト９の途中に接続した助剤供給タンク、１０Ａ，１１Ａは各タンク１０，１１に設けた助剤供給バルブ、１２は上記供給ダクト９に設けた助剤供給用ブロアー、１２Ｍはその駆動用モータであって、これ等ブロアー１２と供給バルブ１０Ａ，１１Ａの働きによって、各供給タンク１０，１１に収容した反応助剤を順番に供給ダクト９を通して集塵機１のフイルタ室１Ｂ内に送り込むことができる仕組に成っている。
【００２９】
尚、図１には各助剤供給タンク１０，１１毎に助剤供給用ブロアー１２，１２と供給ダクト９，９を設けて、排ガス導入ダクト７に対して反応助剤を別々に供給する構成が示されているが、これは実施の一例であって、図３の構成図に示すように１本の供給ダクト９に２台の助剤供給タンク１０，１１を接続し、且つ、１台の助剤供給用ブロアー１２で各助剤供給タンク１０，１１内の反応助剤を順番に供給するようにすることによって、装置全体の簡略化を図るようにしてもよく、その選択は任意とする。
【００３０】
更に図３に示した構成図には、スクリュー５Ｓを用いてフレキシブルコンテナ６に回収した使用済み反応助剤を、２番目の助剤供給タンク１０に送り込んで再利用する構成が示されているが、これも実施の一例であって、１台目の助剤供給タンク１１と、２台目の助剤供給タンク１０、或は、３台目以上の複数台の助剤供給タンクの夫々に、排ガスの性質に合せて選んだ異なる種類の新しい反応助剤を収容する一方、フレキシブルコンテナ６を用いて回収した使用済み反応助剤を別に設けた３台目或はその他の供給タンク（図示省略）に送り込んで再利用したり、或は、フレキシブルコンテナ６を使用せずに、上記エアー噴射パイプ８Ａからのエアー噴射（エアーレーション）による舞い上げだけで、使用済み反応助剤の再利用を図るようにしてもよく、その選択も任意とする。
【００３１】
而して、図１乃至図３に於いて、１Ｈ…は集塵機１を支持する支持脚、１Ｒは支持台、１Ｅと１Ｆは保護柵、７Ａは集塵機１に接続した排ガス導入ダクト７の先端部、７Ｘは逆止弁で、１３は反応助剤の供給時に各助剤供給タンク１０，１１から立ち昇るダスト（反応助剤）を、各フード１３Ａ，１３Ｂを用いて上記のダクト７側に吸引させる集塵ダクトである。
【００３２】
本発明は以上述べた如き構成であるから、助剤供給用ブロアー１２の送風作用を及ぼしながら、更にまた、吸引ブロアー４Ａの吸引作用を集塵機１の内部を通して排ガス導入ダクト７側に及ぼしながら、１番目の助剤供給タンク１１の供給バルブ１１Ａを作動して未使用の新しい反応助剤を供給ダクト９に送り出すと、この反応助剤が排ガス導入ダクト７を通って集塵機１のフイルタ室１Ｂに送り込まれるため、この新しい反応助剤を各バグフイルタ１２…の濾布面に付着させることができる。
【００３３】
次いで、２番目の助剤供給タンク１０の供給バルブ１０Ａを作動して異なる新しい反応助剤を供給ダクト９に送り出せば、気流に乗ってこの反応助剤が上記各バグフイルタ２…に付着した反応助剤層の外側面に付着して、これにて各バグフイルタ２…の濾布面に異なる未使用の反応助剤の層を二重に形成することができるが、処理する排ガスによっては必ずしもこの２番目の助剤供給タンク１０の反応助剤を付着させなくてもよい場合があることは勿論である。
【００３４】
その後、エアー噴射パイプ８Ａからエアーを噴射してホッパー１Ｃ内に溜っている使用済み反応助剤をフイルタ室１Ｂに舞い上げるか、又は、図示していない３台目或はその他の助剤供給タンクに回収されている使用済み反応助剤を気流に乗せてフイルタ室１Ｂに送り込むことにより、上記２層目の反応助剤の外側面に使用済み反応助剤の層（３層目）を多重に付着形成することができる。
【００３５】
図４はバグフイルタ２の濾布面に上記計３層の反応助剤を多重に付着形成した状態を説明した断面図であって、図中、２Ａは例えばゼオライトを用いた１層目の反応助剤層、２Ｂは例えば活性コークスを用いた２層目の反応助剤層、２Ｃは前回使用した３層目の使用済み反応助剤層（例えばゼオライト＋活性コークス）であって、図示矢印方向に通過する排ガスは、先ず３層目の使用済み反応助剤層２Ｃによって粗取り（交流接触）が行われ、次いで、２層目の新しい反応助剤層２Ｂ及び１層目の新しい反応助剤層２Ａの順に接触が繰り返されて、脱臭や脱硫等の反応処理が行われ、反応処理後の浄化ガスがバグフイルタ２…を通って清浄室１Ａ側に排出され、更に、吸引ダクト４を通って集塵機１の外部に排出される仕組に成っている。
【００３６】
以上の反応処理を繰り返した各反応助剤層２Ａ，２Ｂ，２Ｃは、ある時期が来るとブローチューブ３のノズル３Ａ…から各バグフイルタ２…内に吹き込まれるパルスジェットエアーによって下側のホッパー２Ｃに払い落され、次いで、上述した各反応助剤の付着処理を再び繰り返して、各バグフイルタ２…の濾布面に各反応助剤層２Ａ，２Ｂ，２Ｃを多重に付着形成することによって、排ガスの処理運転を再開する。
【００３７】
尚、図３に示した構成図では、フレキシブルコンテナ６を用いて回収した使用済み反応助剤２Ｃを２台目の助剤供給タンク１０に送り込んで再利用する構成になっているため、１台目の助剤供給タンク１１から供給される新しい反応助剤によって形成される１層目の反応助剤層２Ａの外側面に、この使用済み反応助剤の層２Ｃが重ねて付着形成されることになるが、これは実施の一例であることは勿論である。
【００３８】
【発明の効果】
以上述べた如く、本発明に係るパルス除塵式バグフイルタを用いた排ガス処理方法とその装置によれば、バグフイルタの濾布面に先ず未使用の新しい反応助剤の層を付着形成し、次いで、この層の外側にパルスジェットエアーによって払い落された使用済み反応助剤の層を多重に重ねて付着形成するため、反応助剤の吸着処理能力を低下させることなく、これ等新旧の反応助剤層によって排ガスを効率良く反応処理することができると共に、複数の異なる種類の反応助剤をバグフイルタの濾布面に付着させることができるため、１台にて各種排ガスの処理を行える利点を発揮できるものであって、使用済みの反応助剤を有効的に再利用できる点、並びに、既存の集塵機をそのまま使用できる点と相俟って、各種排ガスの脱臭や脱硫等に用いて洵に好適なものである。
【図面の簡単な説明】
【図１】本発明を実施した集塵装置の正面図である。
【図２】本発明を実施した集塵装置の側面図である。
【図３】本発明の全体を明示した構成図である。
【図４】バグフイルタの濾布面に多重に付着形成した反応助剤の層を拡大して示した断面図である。
【符号の説明】
１                集塵機
１Ｃ              ホッパー
２                バグフイルタ
２Ａ，２Ｂ        新しい反応助剤の層
２Ｃ              使用済み反応助剤の層
３                パルスジェットエアー用のブローチューブ
４Ａ              吸引用ブロアー
５                使用済み反応助剤の排出装置
７                排ガス導入ダクト
８Ａ              舞い上げ用のエアー噴射パイプ
１０，１１        反応助剤供給タンク
１２              助剤供給用ブロアー
【図１】
0003641393.tif 000002
【図２】
0003641393.tif 000003
【図３】
0003641393.tif 000004
【図４】
0003641393.tif 000005